(57)【要約】      （修正有）【課題】ベッドサイド端末に電子カルテ情報を表示する際に、告知すべきでない情報が存在する際には表示できない文言を予め設定した文言に変換して表示させて、患者はそれに気づくことがなく看護師には文言が変換されていることを認識可能なナースコールシステムを提供する。【解決手段】ナースコールサーバ６は、電子カルテ情報を記憶する電子カルテ記憶部と、特定の病名や文言を所定の病名或いは文言に変換する文字変換部と、ベッドサイド端末５から電子カルテの閲覧要求を受けたら、要求元のベッドサイド端末５に関連付けられている電子カルテを選択して文字変換部に文字変換させた後、ベッドサイド端末５に送信するベッドサイド端末ＣＰＵとを備え、ベッドサイド端末５には特定の病名や文言が所定の病名或いは文言に変換された電子カルテ情報が表示される。【選択図】図１
2014096065.tif 000002
【特許請求の範囲】
【請求項１】
患者がナースコール呼び出しするためにベッド毎に設置されたナースコール子機と、ナースコール呼び出しに看護師が応答するためにナースステーションに設置されたナースコール親機と、患者に対して治療情報や院内案内情報等を表示するためにベッド毎に設置されたベッドサイド端末と、機器間の通信を制御する制御機と、患者情報を蓄積して前記制御機と情報を送受するナースコールサーバとを有するナースコールシステムにおいて、
前記ナースコールサーバは、電子カルテ情報を記憶する電子カルテ記憶部と、特定の病名や文言を所定の病名或いは文言に変換する文字変換部と、前記ベッドサイド端末から電子カルテの閲覧要求を受けたら、要求元のベッドサイド端末に関連付けられている電子カルテを選択して前記文字変換部に文字変換させた後、前記ベッドサイド端末に送信する情報送信制御部とを備え、
前記ベッドサイド端末に表示される電子カルテ情報は、特定の病名や文言が所定の病名或いは文言に変換された情報であることを特徴とするナースコールシステム。
【請求項２】
患者からのナースコール呼び出しに応答するために看護師が携行する携帯端末を備え、前記携帯端末が無線タグを具備する一方、前記ベッドサイド端末は翳された前記携帯端末の無線タグを読み取るタグ読み取り部と、読み取った無線タグ情報を前記ナースコールサーバに送信するタグ情報制御部とを有し、
前記ナースコールサーバの情報送信制御部は、前記ベッドサイド端末から電子カルテの閲覧要求を受けた際に、引き続き前記無線タグ情報を受信したら、要求元のベッドサイド端末に関連付けられている電子カルテを前記文字変換部に文字変換させた後、前記ベッドサイド端末に送信すると共に、前記無線タグ情報情報を基に翳された携帯端末に電子カルテの文字変換内容を送信することを特徴とする請求項１記載のナースコールシステム。
【請求項３】
患者からのナースコール呼び出しに応答するために看護師が携行する携帯端末を備え、前記ベッドサイド端末が無線タグを具備する一方、前記携帯端末が前記無線タグを読み取るタグ読み取り部と、読み取った無線タグ情報を前記ナースコールサーバに送信するタグ情報制御部とを有し、
前記ナースコールサーバの情報送信制御部は、前記ベッドサイド端末から電子カルテの閲覧要求を受けた際に、引き続き前記携帯端末から前記無線タグ情報を受信したら、要求元のベッドサイド端末に関連付けられている電子カルテを前記文字変換部に文字変換させた後、前記ベッドサイド端末に送信すると共に、前記無線タグ情報送信元の携帯端末に電子カルテの文字変換内容を送信することを特徴とする請求項１記載のナースコールシステム。
【請求項４】
患者のＩＤが記録されて患者が身につける患者用無線タグを有し、
前記ナースコールサーバの情報送信制御部は、前記ベッドサイド端末から電子カルテの閲覧要求を受けた後、一定時間内に前記携帯端末から前記患者用無線タグ情報を受信すると、
前記患者用無線タグを身につけた患者の患者情報を前記ベッドサイド端末に送信することを特徴とする請求項３記載のナースコールシステム。
【請求項５】
患者がナースコール呼び出しするためにベッド毎に設置されたナースコール子機と、ナースコール呼び出しに看護師が応答するためにナースステーションに設置されたナースコール親機と、ナースコール呼び出しに個々の看護師が応答するために看護師が携行する携帯端末と、患者に対して治療情報や院内案内情報等を表示するためにベッド毎に設置されたベッドサイド端末と、機器間の通信を制御する制御機と、患者情報を蓄積して前記制御機と情報を送受するナースコールサーバとを有するナースコールシステムにおいて、
前記ナースコールサーバは、電子カルテ情報を記憶する電子カルテ記憶部と、特定の病名や文言を所定の病名或いは文言に変換する文字変換部と、前記携帯端末から電子カルテの閲覧要求を受けたら、閲覧要求信号からベッドサイド端末及び電子カルテを特定し、特定した電子カルテを前記文字変換部に文字変換させた後、前記特定したベッドサイド端末に送信し、更に前記閲覧要求した携帯端末に対して電子カルテの文字変換内容を送信する情報送信制御部とを備え、
前記ベッドサイド端末が無線タグを具備すると共に、前記携帯端末が前記無線タグを読み取るタグ読み取り部と、読み取った無線タグ情報を前記ナースコールサーバに電子カルテの閲覧要求信号として送信するタグ情報制御部とを有することを特徴とするナースコールシステム。
【発明の詳細な説明】
【技術分野】
【０００１】
本発明は、ナースコールシステムに関し、特に患者に各種情報を提供するベッドサイド端末を備えたナースコールシステムに関する。
【背景技術】
【０００２】
ナースコールシステムは、ベッド毎に設置されて患者が看護師を呼ぶためのナースコール子機と、ナースステーションに設置されて患者からの呼び出しに看護師が応答するためのナースコール親機とを備えている。このようなナースコールシステムにおいて、患者に対して快適な入院生活の手助けを目的に、テレビ番組の視聴やインターネットの閲覧を始め、患者自身の治療に関する情報や院内情報等各種情報を提供するベッドサイド情報端末（ベッドサイド端末）をナースコール子機と対を成すようにベッド毎に設置したシステムが提案されている（例えば、非特許文献１参照）。
一方で、カルテを電子化したことで、カルテ（電子カルテ）の情報を患者に容易に提供できるようになった。そこで、特許文献１に開示されているように、入院している患者の元或いは患者宅において、ベッドサイド端末として患者端末を設置して、電子カルテ情報を患者端末により提供可能としたシステムが提案されている。この特許文献１では、告知同意に基づいて患者に対して患者端末を使用して電子カルテの情報を提供するよう構成されている。
【先行技術文献】
【特許文献】
【０００３】
【特許文献１】特開２００５−７８１９８号公報
【非特許文献】
【０００４】
【非特許文献１】株式会社コンテック  「ベッドサイド情報端末」、［平成２４年１０月２９日検索］、インターネット  ＜ＵＲＬ：ｈｔｔｐ：／／ｗｗｗ．ｃｏｎｔｅｃ．ｃｏ．ｊｐ／ｓｏｌｕｔｉｏｎ／ｍｅｄｉｃａｌ／ｂｅｄｓｉｄｅ．ｈｔｍｌ＞
【発明の概要】
【発明が解決しようとする課題】
【０００５】
上記非特許文献１に開示されているようなベッドサイド端末に、患者の電子カルテも閲覧可能とすれば、患者も自身に関する病状や治療状況を把握でき、安心して入院生活を送ることが期待できる。
しかしながら、上記特許文献１のシステムにおいては、患者に開示するカルテは、患者に知らせるのが好ましくないと考えられる情報を除外して新たに作成した電子カルテであるため、患者と共に看護師が画面を閲覧する機会が多く発生する病院に適用すると、医師、看護師にも除外された情報が開示されることになるため、患者に提供されるカルテを医師や看護師が見ても患者に対する正しい情報を得ることができない問題が発生する。
【０００６】
そこで、本発明はこのような問題点に鑑み、ベッドサイド端末に電子カルテ情報を表示する際に、告知すべきでない情報が存在する際には表示できない文言を除外せずに予め設定した文言に変換して表示させて、患者はそれに気づくことがなく看護師には文言が変換されていることを認識可能なナースコールシステムを提供することを目的としている。
【課題を解決するための手段】
【０００７】
上記課題を解決する為に、請求項１の発明は、患者がナースコール呼び出しするためにベッド毎に設置されたナースコール子機と、ナースコール呼び出しに看護師が応答するためにナースステーションに設置されたナースコール親機と、患者に対して治療情報や院内案内情報等を表示するためにベッド毎に設置されたベッドサイド端末と、機器間の通信を制御する制御機と、患者情報を蓄積して制御機と情報を送受するナースコールサーバとを有するナースコールシステムにおいて、ナースコールサーバは、電子カルテ情報を記憶する電子カルテ記憶部と、特定の病名や文言を所定の病名或いは文言に変換する文字変換部と、ベッドサイド端末から電子カルテの閲覧要求を受けたら、要求元のベッドサイド端末に関連付けられている電子カルテを選択して文字変換部に文字変換させた後、ベッドサイド端末に送信する情報送信制御部とを備え、ベッドサイド端末に表示される電子カルテ情報は、特定の病名や文言が所定の病名或いは文言に変換された情報であることを特徴とする。
【０００８】
この構成によれば、患者がベッドサイド端末を操作して自身の電子カルテ情報を閲覧しても、告知すべきでない病名や文言は特定の病名や文言に変換されて表示される。そのため、実際のカルテに記載されている病名等は患者には通知されないし、表示された電子カルテは削除されたりマスキングされた文言があるわけではないので、不自然な表現とはならず、表示内容から変換された文言を把握することは難しい。よって、カルテが閲覧できるシステムであっても、患者に対して告知すべきでない情報は引き続き知られることがなく、患者を安心させることができる。
一方、看護師や医師等は、病名等が除外されたりマスキング等されて表示されなくても、変換される病名等を予め把握しておけば、ベッドサイド端末で電子カルテを見ても、病名等の表示が変換されていることを認識できるので、患者に対する処置を間違えるような事態を防止できる。そして、この表示制御は特定の文言を変換して表示する簡易な制御で済む。
【０００９】
請求項２の発明は、請求項１に記載の構成において、患者からのナースコール呼び出しに応答するために看護師が携行する携帯端末を備え、携帯端末が無線タグを具備する一方、ベッドサイド端末は翳された携帯端末の無線タグを読み取るタグ読み取り部と、読み取った無線タグ情報をナースコールサーバに送信するタグ情報制御部とを有し、ナースコールサーバの情報送信制御部は、ベッドサイド端末から電子カルテの閲覧要求を受けた際に、引き続き無線タグ情報を受信したら、要求元のベッドサイド端末に関連付けられている電子カルテを文字変換部に文字変換させた後、ベッドサイド端末に送信すると共に、無線タグ情報情報を基に翳された携帯端末に電子カルテの文字変換内容を送信することを特徴とする。
この構成によれば、ベッドサイド端末で電子カルテ閲覧操作した際に、看護師が携帯端末の無線タグをベッドサイド端末に読み取らせることにより、文字変換を行なった具体的内容が翳した携帯端末に送信されるため、看護師は文字変換する前の正しいカルテの情報を把握でき、病名等の見落としを防ぐのに役立つ。
【００１０】
請求項３の発明は、請求項１に記載の構成において、患者からのナースコール呼び出しに応答するために看護師が携行する携帯端末を備え、ベッドサイド端末が無線タグを具備する一方、携帯端末が無線タグを読み取るタグ読み取り部と、読み取った無線タグ情報をナースコールサーバに送信するタグ情報制御部とを有し、ナースコールサーバの情報送信制御部は、ベッドサイド端末から電子カルテの閲覧要求を受けた際に、引き続き携帯端末から無線タグ情報を受信したら、要求元のベッドサイド端末に関連付けられている電子カルテを文字変換部に文字変換させた後、ベッドサイド端末に送信すると共に、無線タグ情報送信元の携帯端末に電子カルテの文字変換内容を送信することを特徴とする。
この構成によれば、ベッドサイド端末で電子カルテ閲覧操作した際に、看護師が携帯端末からベッドサイド端末の無線タグを読み取ってそのデータを制御機に送信すれば、文字変換を行なった具体的内容が携帯端末に返信されるため、看護師は文字変換する前の正しいカルテの情報を把握でき、病名等の見落としを防ぐのに役立つ。
【００１１】
請求項４の発明は、請求項３に記載の構成において、患者のＩＤが記録されて患者が身につける患者用無線タグを有し、ナースコールサーバの情報送信制御部は、ベッドサイド端末から電子カルテの閲覧要求を受けた後、一定時間内に携帯端末から患者用無線タグ情報を受信すると、患者用無線タグを身につけた患者の患者情報をベッドサイド端末に送信することを特徴とする。
この構成によれば、電子カルテ情報に加えて患者の患者情報、例えば血液型、担当医師名、看護履歴等がベッドサイド端末に表示されるため、点滴、注射、輸血、手術、検査等の治療行為における患者誤認を確実に防止できる。また、無線タグを読み取る簡易な操作で患者情報の表示を実施できるし、患者が他人のカルテを閲覧するのを防止できる。
【００１２】
請求項５の発明は、患者がナースコール呼び出しするためにベッド毎に設置されたナースコール子機と、ナースコール呼び出しに看護師が応答するためにナースステーションに設置されたナースコール親機と、ナースコール呼び出しに個々の看護師が応答するために看護師が携行する携帯端末と、患者に対して治療情報や院内案内情報等を表示するためにベッド毎に設置されたベッドサイド端末と、機器間の通信を制御する制御機と、患者情報を蓄積して制御機と情報を送受するナースコールサーバとを有するナースコールシステムにおいて、ナースコールサーバは、電子カルテ情報を記憶する電子カルテ記憶部と、特定の病名や文言を所定の病名或いは文言に変換する文字変換部と、携帯端末から電子カルテの閲覧要求を受けたら、閲覧要求信号からベッドサイド端末及び電子カルテを特定し、特定した電子カルテを文字変換部に文字変換させた後、特定したベッドサイド端末に送信し、更に閲覧要求した携帯端末に対して電子カルテの文字変換内容を送信する情報送信制御部とを備え、ベッドサイド端末が無線タグを具備すると共に、携帯端末が無線タグを読み取るタグ読み取り部と、読み取った無線タグ情報をナースコールサーバに電子カルテの閲覧要求信号として送信するタグ情報制御部とを有することを特徴とする。
【００１３】
この構成によれば、看護師がベッドサイド端末に患者の電子カルテ情報を表示させても、告知すべきでない病名や文言は特定の病名や文言に変換されて表示されるため、実際のカルテに記載されている病名等は患者には通知されないし、削除されずに変換されて表示されることで不自然な表現とはならないため、記載内容から変換されていることを把握することは難しい。よって、カルテが閲覧きるシステムであっても、患者に対して告知すべきでない情報は引き続き知られることがないため、患者を安心させることができる。
一方看護師は、文字変換を行なった具体的内容が携帯端末に送信されるため、文字変換する前の正しいカルテの情報を把握でき、病名等の見落としを防ぐのに役立つし、患者に対する処置を間違えるような事態を防止できる。
更に、看護師が閲覧する場合は、ベッドサイド端末に携帯端末を近づけるだけの簡易な操作で電子カルテ情報を閲覧でき、看護師に対しては操作負担を軽減できる。
【発明の効果】
【００１４】
本発明によれば、患者がベッドサイド端末を操作して自身の電子カルテ情報を閲覧しても、告知すべきでない病名や文言は特定の病名や文言に変換されて表示される。そのため、実際のカルテに記載されている病名等は患者には通知されないし、表示された電子カルテは削除されたりマスキングされた文言があるわけではないので、不自然な表現とはならず、表示内容から変換された文言を把握することは難しい。よって、カルテが閲覧できるシステムであっても、患者に対して告知すべきでない情報は引き続き知られることがなく、患者を安心させることができる。
一方、看護師や医師等は、病名等がマスキングされて表示されなくても、変換される病名等を予め把握しておけば、ベッドサイド端末で電子カルテを見ても、病名等の表示が変換されていることを認識できるので、患者に対する処置を間違えるような事態を防止できる。
更に、ベッドサイド端末で電子カルテ閲覧操作した際に、看護師が携帯端末の無線タグをベッドサイド端末に読み取らせることにより、文字変換を行なった具体的内容が翳した携帯端末に送信されるため、看護師は文字変換する前の正しいカルテの情報を把握でき、病名等の見落としを防ぐのに役立つ。
【図面の簡単な説明】
【００１５】
【図１】本発明に係るナースコールシステムの構成図である。
【図２】ベッドサイド端末の回路ブロック図である。
【図３】ナースコールサーバの回路ブロック図である。
【図４】ベッドサイド端末の他の形態の回路ブロック図である。
【発明を実施するための形態】
【００１６】
以下、本発明を具体化した実施の形態を、図面を参照して詳細に説明する。
［第１の形態］
先ず、第１の形態を説明する。図１は本発明に係るナースコールシステムの一例を示す構成図であり、１は病院に入院中の患者がナースコール呼び出しを行なうためにベッド毎に設置されたナースコール子機、２はナースコール子機１からの呼び出しを報知して応答するためのナースコール親機、３は病室入口に設置されて呼び出しを表示すると共にナースコール子機１の通信を中継する廊下灯、４は機器間の通信を制御する制御機、５はベッドサイドに設置されて治療情報、院内案内等を表示するベッドサイド端末、６は患者情報を蓄積して制御機４と情報を送受するナースコールサーバ、７は看護師が携行するスマートホンなどの携帯端末、８は基地局９を介して携帯端末７の通信を管理する交換機、１０は医師が電子カルテを作成し閲覧するための医師用端末装置、１１は患者のＩＤが登録された無線タグ１１ａを内蔵し、患者の腕に装着されるリストバンドである。
【００１７】
ナースコール子機１は伝送線Ｌ１を介して病室毎に廊下灯３に接続され、廊下灯３は廊下灯幹線Ｌ２を介して制御機４に接続されている。ナースコール親機２は、伝送線Ｌ３を介して制御機４に接続され、交換機８は伝送線Ｌ４を介して制御機４に接続されている。
また、ナースコールサーバ６は伝送線Ｌ５を介して制御機４に接続され、ベッドサイド端末５、医師用端末装置１０はナースコールサーバ６にＬＡＮ回線Ｌ６により接続されている。
【００１８】
ナースコール子機１は、ナースコール呼び出しする呼び出しボタン１ａ、通話部及び呼出ボタン接続部を備えたプレート子機１ｂとを備えている。廊下灯３は呼び出しの発生を通知する表示灯３ａと病室内の患者名を表示した患者名表示部３ｂ等を備えている。
【００１９】
制御機４は、通信を制御する機能に加えて、患者と看護師等様々な関連付けを記憶するテーブル記憶部４ａを有している。テーブル記憶部４ａには、具体的に患者と看護師を関連付けた担当看護師テーブル、患者とベッドを関連付けた患者配置テーブル、ナースコール子機とベッドを関連付けた子機テーブル、ベッドとベッドサイド端末を関連付けたベッドサイド配置テーブル、患者とリストバンドを関連付けたリストバンドテーブル等が記憶されている。
【００２０】
図２はベッドサイド端末５の回路ブロック図を示している。図２に示すように、ベッドサイド端末５は、ＬＣＤから成る表示部５１、表示部５１に組み付けられた操作部としてのタッチパネル５２、携帯端末７の無線タグを読み取るタグ読み取り部５３、ベッドサイド端末５を制御するベッドサイド端末ＣＰＵ５４、ナースコールサーバと通信する通信インターフェース（通信ＩＦ）５５等を備えている。
【００２１】
図３はナースコールサーバ６の回路ブロック図を示している。図３に示すように、ナースコールサーバ６は、医師用端末装置１０から入力される電子カルテを記憶する電子カルテ記憶部６１、年齢、性別、血液型、担当医師名、看護履歴等の患者情報を記憶する患者情報記憶部６２、ベッドサイド端末５に送信する電子カルテ情報に対して文字変換を実施する文字変換部６３、文字変換部６３が変換する病名や文言を記憶する変換文言記憶部６４、ナースコールサーバ６を制御するサーバＣＰＵ６５、通信インターフェース（通信ＩＦ）６６等を備えている。
【００２２】
携帯端末７は、周知の通話機能に加えて自身のＩＤが登録されている無線タグ７ａを有している。無線タグ７ａとしては、例えばＲＦＩＤ或いはＦｅｌｉｃａ（登録商標）の技術が使用される。
【００２３】
上記の如く構成されたナースコールシステムは以下の様に動作する。但し、ナースコール子機１を使用するナースコール呼び出しに対してナースコール親機２或いは携帯端末７で応答する動作は従来と同様であるため説明を省略し、ここでは患者或いは看護師がベッドサイド端末５から患者情報を閲覧する場合の動作について説明する。
まず、患者が自身の患者情報、特に電子カルテを閲覧する場合を説明する。患者がベッドサイド端末５の操作部５２を操作して所定のカルテ閲覧操作をすると、カルテ閲覧要求信号がナースコールサーバ６に送信される。この信号を受けたナースコールサーバ６は、サーバＣＰＵ６５が確認信号を返信し、ベッドサイド端末ＣＰＵ５４はこの信号を受けて表示部５１に「リストバンドをかざしてください」を表示させて、患者ＩＤの入力を要求する。
この表示を認識した患者が、ベッドサイド端末５のタグ読み取り部５３にリストバンド１１をかざすと、リストバンド１１の無線タグ１１ａに登録されている患者ＩＤを含む無線タグ情報がタグ読み取り部５３により読み取られ、ベッドサイド端末ＣＰＵ５４がナースコールサーバ６に読み取った無線タグ情報を送信する。
【００２４】
リストバンド１１の無線タグ情報を受信したナースコールサーバ６は、サーバＣＰＵ６５がカルテ閲覧要求信号に含まれるベッドサイド端末ＩＤを読み取り、このＩＤに関連付けられている患者情報を制御機４のテーブル記憶部４ａから入手する。
そして、後から受信したリストバンド１１の無線タグ情報に含まれる患者ＩＤ情報と合わせて患者本人による閲覧要求であることを認識したら、閲覧要求した患者に関する電子カルテの情報をベッドサイド端末５に送信する。尚、ベッドサイド端末５と患者の関係は、制御機４のテーブル記憶部４ａが記憶している患者配置テーブル及びベッドサイド配置テーブル等から読み取られる。
【００２５】
このとき、電子カルテの内容に、例えば癌の情報、余命情報など患者に告知すべきでない情報がある場合には、サーバＣＰＵ６５の制御により文字変換部６３が予め医師用端末装置１０により設定されて変換文言記憶部６４に記憶された情報に基づいて、例えば「胃癌」の文字を「胃潰瘍」に、「肺癌」の文字を「肺炎」に、「乳癌」の文字を「乳腺腫瘍」等に病名や特定の文言の文字変換処理を行い、変換した電子カルテ情報をベッドサイド端末５に送信する。
この結果、特定の文言が変換された電子カルテ情報がベッドサイド端末５の表示部５１に表示される。
【００２６】
このように、患者がベッドサイド端末５を操作して自身の電子カルテ情報を閲覧しても、告知すべきでない病名や文言は特定の病名や文言に変換されて表示される。そのため、実際のカルテに記載されている病名等は患者には通知されないし、表示された電子カルテは削除されたりマスキングされた文言があるわけではないので、不自然な表現とはならず、表示内容から変換された文言を把握することは難しい。よって、カルテが閲覧できるシステムであっても、患者に対して告知すべきでない情報は引き続き知られることがなく、患者を安心させることができる。
一方、患者と共に看護師や医師が電子カルテ情報を見る際には、病名等がマスキング等されて表示されなくても、変換される病名等を予め把握しておけば、ベッドサイド端末で電子カルテを見ても、病名等の表示が変換されていることを認識できるので、患者に対する処置を間違えるような事態を防止できる。そして、この表示制御は特定の文言を変換して表示する簡易な制御で済む。
そして、リストバンドにより患者自身のＩＤを照合しなければ、電子カルテ情報を閲覧できないので、関係者（看護師等）でない他人により勝手に自分の電子カルテが見られてしまうような問題が発生しない。
【００２７】
尚、医師用端末装置１０から患者の電子カルテを閲覧する場合には、全ての患者の情報を閲覧することができる。
【００２８】
次に、看護師が患者のベッドサイド端末５を操作して患者の電子カルテを閲覧する場合の動作について説明する。看護師がベッドサイド端末５の操作部５２を操作して電子カルテの閲覧要求をする際に、引き続きベッドサイド端末５のタグ読み取り部５３に看護師が携行する携帯端末７を近づける（翳す）と、タグ読み取り部５３が携帯端末７の無線タグ７ａから携帯端末ＩＤ情報を含む無線タグ情報を読み取る。
【００２９】
ベッドサイド端末５からカルテ閲覧要求信号を受信したナースコールサーバ６は、サーバＣＰＵ６５の制御により、カルテ閲覧要求信号に含まれるベッドサイド端末ＩＤを元に、制御機４のテーブル記憶部４ａを参照して患者を特定する。引き続き携帯端末７の無線タグ情報を受信したサーバＣＰＵ６５は、看護師による閲覧要求であることを認識して、患者ＩＤの入力を要求することなく、特定した患者の電子カルテ情報を送信する。
この場合も、サーバＣＰＵ６５が患者に告知すべきでない情報がある場合には、予め設定した文言等を変換してベッドサイド端末５に送信する。尚、サーバＣＰＵ６５は、カルテ閲覧要求信号を受信した後例えば５秒間待機し、その間無線タグ情報を受信しなければ、電子カルテ情報の送信を実施しない。
【００３０】
また、サーバＣＰＵ６５は、入手した無線タグ情報から携帯端末ＩＤを読み取り、対応する携帯端末７、即ちベッドサイド端末５にかざした携帯端末７に対して、文字変換部６３が「胃癌」「余命半年」などの文字変換処理を行なった具体的変換情報を送信する。この変換情報の送信は、制御機４を介して送信され、制御機４が変換情報に含まれる携帯端末７のＩＤ情報から携帯端末番号を判別し、交換機８、基地局９を介して該当する番号の携帯端末７に送信される。
【００３１】
この結果、ベッドサイド端末５で電子カルテを閲覧操作した際に、看護師が携帯端末７の無線タグ７ａをベッドサイド端末５に読み取らせることにより、文字変換を行なった具体的内容が翳した携帯端末７に送信されるため、看護師は文字変換する前の正しいカルテの情報を把握でき、病名等の見落としを防ぐのに役立つ。
また、上記患者が閲覧操作した場合と同様に、患者は文字変換処理された情報を見るため告知すべきでない情報は確実に隠蔽される。
尚、ここでは説明の都合上、看護師がベッドサイド端末５を操作する場合を説明したが、医師がベッドサイド端末５を操作して特定の文言が変換された患者の電子カルテ情報を閲覧することも容易に実施できる。この場合、医師の携行する携帯端末７の無線タグ７ａを読ませれば良い。
【００３２】
［第２の形態］
次に、ナースコールシステムの第２の形態を説明する。但し、この第２の形態は、ベッドサイド端末５を看護師が操作して電子カルテを閲覧する構成である。上記実施形態では、ベッドサイド端末５に無線タグ読み取り部５３、携帯端末７に無線タグ７ａを設けたが、逆であっても良い。即ち、ベッドサイド端末５にタグ読み取り部５３に代えてベッドサイド端末ＩＤを登録した無線タグ５６、携帯端末７に無線タグ７ａに替えてタグ読み取り部７ｂを設け（図１に示す）ても良い。
図４はこのように構成されたベッドサイド端末５の回路ブロック図を示し、無線タグ５６を備えている。以下、図１及び図４を参照して説明する。
【００３３】
この場合、ベッドサイド端末５の操作部５２の操作によるカルテ閲覧操作に引き続き、電子タグ読み取りモードとして電子タグ読み取り部７ｂを能動とした携帯端末７をベッドサイド端末５に近づけると、タグ読み取り部７ｂが無線タグ５６からベッドサイド端末ＩＤ情報を読み取る。そして、読み取った無線タグ情報が基地局９、交換機８を介して制御機４に送信される。
【００３４】
制御機４は、受信したデータがナースコールサーバ６に送信されるデータであると認識してナースコールサーバ６に送信する。カルテ閲覧要求信号を受信し、その後ベッドサイド端末ＩＤ情報を受信したナースコールサーバ６は、サーバＣＰＵ６５の制御で、受信したベッドサイド端末ＩＤに関連付けられている患者を制御機４のテーブル記憶部４ａから特定し、特定した患者の電子カルテ情報をベッドサイド端末５に送信する。
このとき、上記形態と同様に、患者に告知すべきでない情報がある場合には、文字変換部６３が文字変換処理を行なった後の電子カルテ情報がベッドサイド端末５に送信される。更に、翳した携帯端末７に対して文字変換処理の具体的変換情報を返信する。尚、サーバＣＰＵ６５は、カルテ閲覧要求信号を受信した後例えば５秒間待機し、その間無線タグ情報を受信しなければ、電子カルテ情報の送信を実施しない。
【００３５】
この結果、上記形態と同様に、文字変換処理された電子カルテ情報が表示されるため、患者に告知すべきでない情報が確実に隠蔽されるため、看護師が患者と共に電子カルテを閲覧しても患者が告知されてない病名等を知ってしまうことが無いし、看護師は手元にある携帯端末７で変換処理を行なう前の病名等を確認できるため、患者に対する看護を間違えることがない。
【００３６】
そして、この構成においては、患者のリストバンド１１を患者の認証のためでなく、カルテ情報以外の患者情報の閲覧に使用することができる。具体的に、カルテ閲覧操作により電子カルテ情報をベッドサイド端末５に表示させた状態で、携帯端末７により患者のリストバンド１１の無線タグを読み込むと、患者の患者情報が更にベッドサイド端末に表示させることができる。
【００３７】
詳しくは、携帯端末７からベッドサイド端末の無線タグ情報を受信した後、サーバＣＰＵ６５は、その後一定時間（例えば６０秒）の間、同一の携帯端末７から患者ＩＤの受信を待ち、一定時間内に患者のリストバンド１１の無線タグ１１ａの情報を受信したら、この無線タグ情報から患者ＩＤを読み取り、対応する患者の詳細情報を患者情報記憶部６２から読み取って、ベッドサイド端末５に送信する。この情報を受信したベッドサイド端末５は、電子カルテ情報と合わせて詳細な患者情報を表示する。
【００３８】
この結果、電子カルテ情報に加えて患者の患者情報、例えば血液型、担当医師名、看護履歴等がベッドサイド端末５に表示されるため、点滴、注射、輸血、手術、検査等の治療行為における患者誤認を確実に防止できる。また、リストバンド１１の無線タグ１１ａを読み取る簡易な操作で患者情報の表示を実施できるし、患者が他人のカルテを閲覧するのを防止できる。
【００３９】
［第３の形態］
次に、インターホンシステムの第３の形態を説明する。この第３の形態も、第２の形態と同様にベッドサイド端末５を看護師が操作して電子カルテの閲覧を実施する構成である。但し、上記第２の形態とは、ベッドサイド端末５を操作することなく電子カルテ情報を表示できる点が相違している。この形態のシステム構成は、上記第２の形態と同様であり、以下同一の符号を使用して説明する。
【００４０】
先ず、看護師が携行する携帯端末７をベッドサイド端末５の無線タグ５６に近づける。すると、携帯端末５のタグ読み取り部７ｂが無線タグ情報を読み取る。無線タグ情報を読み取った携帯端末５は、ナースコールサーバ６に対して読み取ったデータをカルテ閲覧要求信号として送信する。このカルテ閲覧要求信号は基地局９、交換機８を介して制御機４に送信され、制御機４はナースコールサーバ６に対する信号であることを認識してナースコールサーバ６に送信する。
無線タグ情報（ベッドサイド端末ＩＤ情報）から成るカルテ閲覧要求信号を受信したナースコールサーバ６は、信号に含まれるベッドサイド端末ＩＤ情報を基に、このベッドサイド端末５に対して、上述したように文字変換部６３が特定の文言を変換した電子カルテ情報を送信する。合わせて、送信元の携帯端末７に対して文字変換処理の具体的変換情報を返信する。
【００４１】
このように、ベッドサイド端末５に携帯端末７を近づける簡易な操作のみで電子カルテ情報を閲覧でき、忙しい看護師に対する負担を軽減できる。
そして、看護師がベッドサイド端末５に患者の電子カルテ情報を表示させても、告知すべきでない病名や文言は特定の病名や文言に変換されて表示されるため、実際のカルテに記載されている病名等は患者には通知されないし、削除されずに変換されて表示されることで不自然な表現とはならないため、患者と共に閲覧しても記載内容から変換されていることを把握することは難しい。よって、カルテが閲覧きるシステムであっても、患者に対して告知すべきでない情報は引き続き知られることがないため、患者を安心させることができる。
一方看護師は、文字変換を行なった具体的内容が携帯端末７に送信されるため、文字変換する前の正しいカルテの情報を把握でき、病名等の見落としを防ぐのに役立つし、患者に対する処置を間違えるような事態を防止できる。
【００４２】
尚、この場合、登録されている患者と実際のベッド上の患者を照合するために、携帯端末７からカルテ閲覧要求信号を受けた際に、携帯端末７に対して患者のリストバンド１１を読み取らせてもよい。
また、上記実施形態では文字変換情報は医師用端末装置１０により設定されるが、これに限らずナースコールサーバ６が予め記憶し、自動的に設定し変換しても良い。また、文字変換して患者に実際の病名等を隠しているが、告知すべきでない情報を単純にマスキング処理して非表示としても病名等を隠すことはできる。
更に、文字変換する際、実際には存在しないような患者に分かり難い病名に変換して、所謂隠語処理してもく、この場合看護師は隠語処理されていることを把握し易い。
また、ナースコールサーバ６が患者ＩＤによる患者確認操作した際に、ベッドサイド端末ＩＤの関連づけで不一致を検出した場合には、携帯端末７から患者ＩＤ異常の警報を鳴動させても良く、患者ＩＤ不一致による取り違え等を防ぐことができる。
【符号の説明】
【００４３】
１・・ナースコール子機、２・・ナースコール親機、３・・廊下灯、４・・制御機、４ａ・・テーブル記憶部、５・・ベッドサイド端末、６・・ナースコールサーバ、７・・携帯端末、７ａ・・無線タグ、７ｂ・・タグ読み取り部、１０・・医師用端末装置、１１・・リストバンド（患者用無線タグ）、１１ａ・・無線タグ、５１・・表示部、５２・・操作部、５３・・タグ読み取り部、５４・・ベッドサイド端末ＣＰＵ（タグ情報制御部）、５６・・無線タグ、６１・・電子カルテ記憶部、６２・・患者情報記憶部、６３・・文字変換部、６４・・変換文言記憶部、６５・・サーバＣＰＵ（情報送信制御部）。
【図１】
2014096065.tif 000003
【図２】
2014096065.tif 000004
【図３】
2014096065.tif 000005
【図４】
2014096065.tif 000006